(57)【要約】【課題】  低コストで侵入抑止効果の期待できる防犯性居室及びプロジェクタ用キットを供する。【解決手段】  窓１を有する居室において、該窓を被覆するカーテン３と、該カーテンに向けて投影される男性モデルの影素材５からなり、上記影素材が男性モデルに光を投射して撮影された影の映像からなるから、男性モデルを直接撮影する場合に比べ、影の動きがリアルに見える。よって、影と看破され難くなる。侵入者は独居女性を狙っているものである。これは独居女性が女性1人であることから、経験上、御し易いという心理に基づくものであるところ、男性のシルエットが投影され、カーテン越しに窓を外から見ると、男性のシルエットが明確に視認されるため、同居の男性がいるように見え、これが侵入抑止効果となる。手持ちの携帯端末、例えば、スマートフォン７とプロジェクタ９を使用することができるので、侵入抑止効果を比較的低コストで実現することができる。【選択図】図１
2020010113.tif 000002
【特許請求の範囲】
【請求項１】
窓を有する居室において、該窓を被覆するカーテンと、該カーテンに向けて投影される男性モデルの影素材とからなり、上記影素材が男性モデルに光を投射して得た動く男性モデルの影を撮影した映像からなることを特徴とする防犯性居室。
【請求項２】
請求項１記載の防犯性居室において、上記影素材が動画からなることを特徴とする防犯性居室。
【請求項３】
請求項１又は請求項２記載の防犯性居室において、上記影素材がコンピュータに格納されることを特徴とする防犯性居室。
【請求項４】
請求項１乃至請求項３のいずれか記載の防犯性居室において、上記カーテンが投影性カーテンからなることを特徴とする防犯性居室。
【請求項５】
請求項１乃至請求項４のいずれか記載の防犯性居室において、上記影素材がプロジェクタにより投影されることを特徴とする防犯性居室。
【請求項６】
請求項１乃至請求項５のいずれか記載の防犯性居室において、上記窓の全部が上記カーテンにより被覆されることを特徴とする防犯性居室。
【請求項７】
居室に開口される窓を被覆するカーテンに向け投影される男性モデルの影素材であって、上記影素材が男性モデルに光を投射して得た動く男性モデルの影を撮影した映像からなり、かかる影素材が格納されることを特徴とするプロジェクタ用キット。
【請求項８】
請求項７記載のプロジェクタ用キットにおいて、上記影素材が動画からなることを特徴とするプロジェクタ用キット。
【発明の詳細な説明】
【技術分野】
【０００１】
本願発明は居室の防犯性能を改良した防犯性居室に関する。
【背景技術】
【０００２】
女性の社会進出が進み、ひとり暮らしの女性（以下、「独居女性」という）が増加している。これに伴い、独居女性を狙う住居侵入等の犯罪も多発している。
【０００３】
従来、かかる対策として、例えば男性名の表札を掲げたり、男性用の洗濯物等を干したりする例がある。
【０００４】
また警備会社の警備システムを導入したり、防犯カメラを設置したりしていた。
【０００５】
前者は低コストで手軽である反面、見破られてしまうことが多いという欠点がある。
【０００６】
後者はコストが高いため、抑止効果とのバランスに見合うかという欠点がある。
【先行技術文献】
【特許文献】
【０００７】
【特許文献１】特開２０１１−０１７２００号公報
【発明の概要】
【発明が解決しようとする課題】
【０００８】
本願発明は上記背景に鑑み、低コストで侵入抑止効果の期待できる防犯性居室及びプロジェクタ用キットを供することを目的とする。
【課題を解決するための手段】
【０００９】
上記目的達成のため、本願発明による防犯性居室は、窓を有する居室において、該窓を被覆するカーテンと、該カーテンに向けて投影される男性モデルの影素材とからなり、上記影素材が男性モデルに光を投射して得た動く男性モデルの影を撮影した映像からなることを特徴とする。
また請求項２による本願発明による防犯性居室は、請求項１記載の防犯性居室において、上記影素材が動画からなることを特徴とする。
また請求項３による本願発明による防犯性居室は、請求項１又は請求項２記載の防犯性居室において、上記影素材がコンピュータに格納されることを特徴とする。
また請求項４による本願発明による防犯性居室は、請求項１乃至請求項３のいずれか記載の防犯性居室において、上記カーテンが投影性カーテンからなることを特徴とする。
また請求項５による本願発明による防犯性居室は、請求項１乃至請求項４のいずれか記載の防犯性居室において、上記影素材がプロジェクタにより投影されることを特徴とする。
また請求項６による本願発明による防犯性居室は、請求項１乃至請求項５のいずれか記載の防犯性居室において、上記窓の全部が上記カーテンにより被覆されることを特徴とする。
また請求項７による本願発明によるプロジェクタ用キットは、居室に開口される窓を被覆するカーテンに向け投影される男性モデルの影素材であって、上記影素材が男性モデルに光を投射して得た動く男性モデルの影を撮影した映像からなり、かかる影素材が格納されることを特徴とする。
また請求項８による本願発明によるプロジェクタ用キットは、請求項７記載のプロジェクタ用キットにおいて、上記影素材が動画からなることを特徴とする。
【発明の効果】
【００１０】
本願発明は、窓を有する居室において、該窓を被覆するカーテンと、該カーテンに向けて投影される男性モデルの影素材とからなり、上記影素材が男性モデルに光を投射して得た動く男性モデルの影を撮影した映像からなるから、人物の影の映像が合成ではないので、カーテン越しに窓を外から見ると、影の映像の動きが本当の人物の動きであるかのようにリアルに見える。よって、影の映像と看破され難くなる。侵入者は独居女性を狙っているものである。これは独居女性が女性1人であることから、経験上、御し易いという心理に基づくものであるところ、男性のシルエットが投影され、カーテン越しに窓を外から見ると、男性のシルエットが明確に視認されるため、同居の男性がいるように見え、これが侵入抑止効果となるのである。
また、手持ちの携帯端末、例えば、スマートフォンとプロジェクタを使用することができるので、侵入抑止効果を比較的低コストで実現することができる。
【００１１】
請求項２による防犯性居室は、請求項１記載の防犯性居室において、上記影素材が動画からなるから、窓越しに見える人物の映像が連続表示となるので影の映像と看破され難くなり、侵入抑止効果が一層向上する。
【００１２】
請求項３による防犯性居室は、請求項１又は請求項２記載の防犯性居室において、上記影素材がコンピュータに格納されるから、多種多様の影素材パターンをコンピュータに格納することができる。よって、影素材からなる影の映像を簡単に交換することができるので、影の映像と看破され難くなり、侵入抑止効果が一層向上する。
【００１３】
請求項４による防犯性居室は、請求項１乃至請求項３のいずれか記載の防犯性居室において、上記カーテンが投影性カーテンからなるから、カーテン越しに窓を外から見ると、影の映像の動きが本当の人物の動きであるかのように一層リアルに見える。
【００１４】
請求項５による防犯性居室は、請求項１乃至請求項４のいずれか記載の防犯性居室において、上記影素材がプロジェクタにより投影されるから、コスト低下に一層寄与する。
【００１５】
請求項６による防犯性居室は、請求項１乃至請求項５のいずれか記載の防犯性居室において、上記窓の全部が上記カーテンにより被覆されるから、居室の内部が露見されないので、カーテン越しに窓を外から見ると、影の映像と看破され難くなり、侵入抑止効果が一層向上する。
【００１６】
請求項７によるプロジェクタ用キットは、居室に開口される窓を被覆するカーテンに向け投影される男性モデルの影素材であって、上記影素材が男性モデルに光を投射して得た動く男性モデルの影を撮影した映像からなり、かかる影素材が格納されるから、人物の影の映像が合成ではないので、カーテン越しに窓を外から見ると、影の映像の動きが本当の人物の動きであるかのようにリアルに見える。よって、影の映像と看破され難くなる。侵入者は独居女性を狙っているものである。これは独居女性が女性1人であることから、経験上、御し易いという心理に基づくものであるところ、男性のシルエットが投影され、カーテン越しに窓を外から見ると、男性のシルエットが明確に視認されるため、同居の男性がいるように見え、これが侵入抑止効果となるのである。
また、手持ちの携帯端末、例えば、スマートフォンとプロジェクタを使用することができるので、侵入抑止効果を比較的低コストで実現することができる。
【００１７】
請求項８によるプロジェクタ用キットは、請求項７記載のプロジェクタ用キットにおいて、上記影素材が動画からなるから、カーテン越しに窓を外から見ると、影の映像の動きが本当の人物の動きであるかのように一層リアルに見える。よって影の映像と看破され難くなり、侵入抑止効果が一層向上する。
【図面の簡単な説明】
【００１８】
【図１】本願発明による防犯性居室の一実施の形態を示す概念図である。
【図２】（Ａ）は図１のスマートフォンに格納される男性シルエットの実施例を示す動画のある瞬間を示す影映像の１ショット、（Ｂ）は同他の動画のある瞬間を示す影映像の１ショット、（Ｃ）は同さらに他の動画のある瞬間を示す影映像の１ショット、（Ｄ）はさらに他の動画のある瞬間を示す影映像の１ショットである。
【図３】図１の影素材をカーテン越しに外から見た図である。
【発明を実施するための形態】
【００１９】
次に、実施の形態を示す図面に基づき、本願発明による防犯性居室及びプロジェクタ用キットをさらに詳しく説明する。なお、便宜上同一の機能を奏する部分には同一の符号を付してその説明を省略する。
【００２０】
図示しない居室には窓１があり、該窓１の全部がカーテン３により被覆される。上記カーテン３は投影性のある素材からなる投影性カーテンである。具体的には、薄地等目の細かい素材からなり、白色等の薄い色彩のもの、例えば、ポリエステル素材等からなるレース地のカーテンを用いる。投影性であることを要するから、遮光性のカーテンは用いない。
【００２１】
５は男性モデルの影素材、７は該影素材が格納されるスマートフォンである。９はプロジェクタであり、上記スマートフォン７と電気的に接続され、スマートフォン７に格納されている影素材５をカーテン３に向けて投影する。
【００２２】
上記影素材５は、男性モデルに光を投射して影を撮影し、この撮影された動きのある男性モデルの影の映像からなる。このように影の映像とすることにより、男性モデルの影の映像が合成ではないので、シルエット映像としてカーテン越しに窓を外から見ると、図３に示すように、影の映像の動きが本当の人物の動きであるかのように非常にリアルに見える。また影素材５は白と黒のコントラストを高める加工を施してあるので、カーテン越しに窓を外から見ると、影の映像の動きが本当の人物の動きであるかのように一層リアルに見える。
【００２３】
上記影素材５は、動画、即ち、一定時間間隔で撮影された一連の画像を短い間隔で連続表示することにより得る動きのある映像としてスマートフォン７に格納される。
【００２４】
影素材５の撮影に当たっては、男性モデルのシルエットが明確に視認できる位置になるよう、撮影するカメラのレンズから窓１までの距離に応じて影素材５のサイズを変えるので、カーテン越しに窓を外から見ると、影の映像の動きが本当の人物の動きであるかのように一層リアルに見える。
図２に動きのある影素材５の１ショットの一例を示す。Ａは茶を飲む男性のシルエットからなる影素材５であり、Ｂは新聞を読む男性のシルエットからなる影素材５であり、Ｃはダンベル運動をする男性のシルエットからなる影素材５であり、Ｄは体操をする男性のシルエットからなる影素材５である。
【００２５】
上記した実施の形態によれば、人物の影の映像が合成ではないので、シルエット映像としてカーテン越しに窓を外から見ると、図３に示すように、影の映像の動きが本当の人物の動きであるかのように非常にリアルに見える。
また影素材５は白と黒のコントラストを高める加工を施してあるので、カーテン越しに窓を外から見ると、影の映像の動きが本当の人物の動きであるかのように一層リアルに見える。
【００２６】
さらに影素材５は窓１の開口面積に応じて投射角度を変えるので、男性モデルのシルエットを明確に視認することができ、カーテン越しに窓を外から見ると、影の映像の動きが本当の人物の動きであるかのように一層リアルに見える。
【００２７】
よって、影の映像と看破され難くなり、侵入抑止効果を奏することができる。
【００２８】
本願発明において、居室とは建築基準法上の居室、即ち、居住、執務、作業、集会、娯楽、その他これらに類する目的のために継続的に使用する室をいい、アパートやマンションの部屋だけでなく、一戸建て建築物の部屋も含む。
【００２９】
本願発明は、上記した実施の形態に限定されない。例えば、影素材５のシルエット例は任意であり、図２に示すもの以外も当然考えられる。また影素材５が格納されるコンピュータも任意であり、必ずしもスマートフォンのような携帯端末でなくてもよい。影素材５の投影をするプロジェクタの種類も任意である。さらに、本願発明が適用される居室に住む者は必ずしも独居女性だけでなく、老人なども含めることができる。
【産業上の利用可能性】
【００３０】
本願発明は居室の防犯性能の向上に活用することができる。
【符号の説明】
【００３１】
１  窓
３  カーテン
５  影素材
７  スマートフォン
９  プロジェクタ
【図１】
2020010113.tif 000003
【図２】
2020010113.tif 000004
【図３】
2020010113.tif 000005